(57)【要約】【課題】  被取付物から部材を取り外すために、被取付物からの押圧力が作用する背板部を開く際に、背板部が勢いよく開く事態を抑制することができる部材の取付構造を提供する。【解決手段】  本発明に係る取付構造では、テレビ台３０に取り付けられる棚板１１が、テレビ台３０を前方から押圧する押し板１５と、一端側がヒンジ結合されて閉じられた状態でテレビ台３０に後方から当接する背板部１７とを備え、棚板本体部１２に挿通孔２０が形成された受け部１９が設けられ、背板部１７の他端側に挿通孔２２が形成された係合片２１が設けられ、挿通孔２０，２２を挿通するピン２３が、挿通孔２０，２２より小径の軸部２４と、挿通孔２０，２２より大径の頭部２５と、軸部２４より大径で挿通孔２０，２２より小径のフランジ部２６とを備えている。【選択図】  図６
2020105185.tif 000002
【特許請求の範囲】
【請求項１】
被取付物に取り付けられる部材が、基部に設けられて前記被取付物を前方から押圧する押圧部と、前記基部に対して一端側がヒンジ結合されて開閉し、閉じられた状態で前記被取付物に後方から当接して前記押圧部とともに前記被取付物を挟持する背板部とを備え、
前記基部には後方に延在して第一の挿通孔が形成された被係合部が設けられ、
前記背板部の他端側には前記背板部が閉じられた状態で前記被係合部に係合する係合部が設けられるとともに、前記係合部には前記第一の挿通孔に重なり合う第二の挿通孔が形成され、
前記背板部が閉じられた状態で前記第一の挿通孔及び前記第二の挿通孔を挿通するピンが設けられ、
前記ピンは、前記第一の挿通孔及び前記第二の挿通孔より小径の軸部と、前記第一の挿通孔及び前記第二の挿通孔より大径の頭部と、前記軸部より大径で前記第一の挿通孔及び前記第二の挿通孔より小径の拡径部とを備えることを特徴とする部材の取付構造。
【請求項２】
被取付物に取り付けられる部材が、基部に設けられて前記被取付物を前方から押圧する押圧部と、前記基部に対して一端側がヒンジ結合されて開閉し、閉じられた状態で前記被取付物に後方から当接して前記押圧部とともに前記被取付物を挟持する背板部とを備え、
前記基部には後方に延在して挿通孔が形成された被係合部が設けられ、
前記背板部の他端側には前記背板部が閉じられた状態で前記被係合部に係合する係合部が設けられるとともに、前記係合部には前記挿通孔に重なり合うネジ孔が形成され、
前記背板部が閉じられた状態で前記挿通孔及び前記ネジ孔を挿通するピンが設けられ、
前記ピンは、前記挿通孔及び前記ネジ孔より小径の軸部と、前記ネジ孔に螺合するネジ部と、前記軸部より大径で前記挿通孔及び前記ネジ孔より小径の拡径部とを備えることを特徴とする部材の取付構造。
【発明の詳細な説明】
【技術分野】
【０００１】
本発明は、テレビ台等の被取付物に対する棚板等の部材の取付構造に関する。
【背景技術】
【０００２】
大型の薄型テレビの普及に伴い、テレビを室内の壁面に近接させて配置したいとのニーズが高まっており、そのためのテレビ台として、ベースに立設された支柱の上部でテレビを支持するテレビ台が知られている。このようなテレビ台には、ＤＶＤレコーダー、ブルーレイレコーダー又はＨＤＤレコーダー等の録画再生装置や、サウンドバーと呼ばれるスピーカーや、リモコン等の周辺機器を載置可能な棚板が取り付けられることがある。【０００３】
このような棚板として、特許文献１には、テレビ台のベースに立設された支柱の上下方向において無段階で取り付けられるものが開示されている。この棚板には、支柱が挿通する挿通孔が形成されており、支柱を挿通孔に挿通させて、上下方向における任意の高さ位置で棚板が支柱に固定される。
【先行技術文献】
【特許文献】
【０００４】
【特許文献１】実用新案登録第３２０２１４０号公報
【発明の概要】
【発明が解決しようとする課題】
【０００５】
ところで、特許文献１に記載の棚板は、支柱を挿通孔に挿通させることによって支柱に取り付けられるから、周辺機器の増設により棚板をテレビ台に追加して取り付ける場合や、周辺機器の撤去により棚板が不要となって、一旦取り付けた棚板をテレビ台から取り外す場合には、支柱の上部に支持されたテレビを脱着しなければならない。このような棚板の取付けや取外しに伴うテレビの脱着作業は、特にテレビが大型で重量がある場合には、使用者に負担となっていた。【０００６】
そこで、支柱の上部に支持されたテレビを脱着することなく、棚板の取付けや取外しを可能とするために、さらには、支柱に後方から当接する後述の背板部の閉止強度を高めるために、出願人は、国際出願（ＰＣＴ／ＪＰ２０１８／０３２２９３）において、図１０に示す棚板の取付構造を提案している。この棚板１では、棚板本体部２にテレビ台の支柱に取り付けられる凹部３が形成されるとともに、一端が棚板本体部２にヒンジ結合された背板部（閉蓋部）４が設けられ、背板部４の他端には、前方に折曲されてなる係合部（折曲部）５が設けられ、係合部５には、挿通孔６が形成されている。また、棚板本体部２には、背板部４が凹部３を閉止した状態で、係合部５が係合する被係合部（当接部）７が設けられ、被係合部７には、挿通孔６に重なるネジ孔８が形成され、凹部３には、支柱を押圧する押圧部（押し板）９が設けられている。【０００７】
棚板１のテレビ台への取付けは、背板部４を開けて凹部３に支柱を嵌め、背板部４を閉じて押圧部９及び背板部４で支柱を前後から挟持し、ネジ１０を挿通孔６に挿通させるとともにネジ孔８に螺合させるにより行われる。また、棚板１のテレビ台からの取外しは、ネジ１０をネジ孔８及び挿通孔６から外して背板部４を開き、凹部３から支柱を抜くことにより行われる。【０００８】
しかしながら、棚板１の取付状態では、背板部４に支柱を介して押圧部９からの押圧力が作用しているので、棚板１の取外しの際にネジ１０を緩めると、その押圧力によりネジ１０が外れた瞬間に背板部４が勢いよく開くという問題があった。【０００９】
本発明は、上記の事情に鑑みてなされたもので、テレビ台等の被取付物から棚板等の部材を取り外すために、被取付物からの押圧力が作用する背板部を開く際に、背板部が勢いよく開く事態を抑制することができる部材の取付構造を提供することを課題としている。
【課題を解決するための手段】
【００１０】
上記課題を解決するため、本発明に係る部材の取付構造は、被取付物に取り付けられる部材が、基部に設けられて前記被取付物を前方から押圧する押圧部と、前記基部に対して一端側がヒンジ結合されて開閉し、閉じられた状態で前記被取付物に後方から当接して前記押圧部とともに前記被取付物を挟持する背板部とを備え、前記基部には後方に延在して第一の挿通孔が形成された被係合部が設けられ、前記背板部の他端側には前記背板部が閉じられた状態で前記被係合部に係合する係合部が設けられるとともに、前記係合部には前記第一の挿通孔に重なり合う第二の挿通孔が形成され、前記背板部が閉じられた状態で前記第一の挿通孔及び前記第二の挿通孔を挿通するピンが設けられ、前記ピンは、前記第一の挿通孔及び前記第二の挿通孔より小径の軸部と、前記第一の挿通孔及び前記第二の挿通孔より大径の頭部と、前記軸部より大径で前記第一の挿通孔及び前記第二の挿通孔より小径の拡径部とを備えることを特徴とする。【００１１】
この部材の取付構造によれば、背板部が閉じられた状態で被係合部の第一の挿通孔及び係合部の第二の挿通孔に取り付けられるピンが、第一の挿通孔及び第二の挿通孔より小径の軸部と、第一の挿通孔及び第二の挿通孔より大径の頭部と、軸部より大径で第一の挿通孔及び第二の挿通孔より小径の拡径部とを備えるので、背板部に被取付物を介して押圧部からの押圧力が作用している状態では、係合部の第二の挿通孔が被係合部の第一の挿通孔よりも後方にずれて、ピンの軸部が第二の挿通孔の内周面の前部により第一の挿通孔の内周面の後部に押し付けられ、ピンの拡径部が被係合部の第一の挿通孔の周囲に引っ掛かりピンが抜け止めされる。【００１２】
そして、部材の取外しの際には、背板部を押圧力に抗して前方に移動させて第二の挿通孔の中心部を第一の挿通孔の中心部に合わせ、拡径部の引っ掛かりを解除してピンを抜き、背板部を開くことになるが、このとき背板部の後方に向けて作用する押圧力は減殺されており、背板部が勢いよく開く事態を抑制することができる。【００１３】
また、本発明に係る他の部材の取付構造は、被取付物に取り付けられる部材が、基部に設けられて前記被取付物を前方から押圧する押圧部と、前記基部に対して一端側がヒンジ結合されて開閉し、閉じられた状態で前記被取付物に後方から当接して前記押圧部とともに前記被取付物を挟持する背板部とを備え、前記基部には後方に延在して挿通孔が形成された被係合部が設けられ、前記背板部の他端側には前記背板部が閉じられた状態で前記被係合部に係合する係合部が設けられるとともに、前記係合部には前記挿通孔に重なり合うネジ孔が形成され、前記背板部が閉じられた状態で前記挿通孔及び前記ネジ孔を挿通するピンが設けられ、前記ピンは、前記挿通孔及び前記ネジ孔より小径の軸部と、前記ネジ孔に螺合するネジ部と、前記軸部より大径で前記挿通孔及び前記ネジ孔より小径の拡径部とを備えることを特徴とする。【００１４】
この部材の取付構造によれば、背板部が閉じられた状態で挿通孔及びネジ孔に取り付けられるピンが、挿通孔及びネジ孔より小径の軸部と、ネジ孔に螺合するネジ部と、軸部より大径で挿通孔及びネジ孔より小径の拡径部とを備えるので、背板部に被取付物を介して押圧部からの押圧力が作用している状態では、係合部のネジ孔が被係合部の挿通孔よりも後方にずれて、ピンの軸部がネジ孔により挿通孔の内周面の後部に押し付けられ、ピンの拡径部が被係合部の挿通孔の周囲に引っ掛かりピンが抜け止めされる。【００１５】
そして、部材の取外しの際には、背板部を押圧力に抗して前方に移動させてネジ孔の中心部を挿通孔の中心部に合わせ、拡径部の引っ掛かりを解除してネジ部とネジ孔との螺合を緩めピンを抜き、背板部を開くことになるが、このとき背板部の後方に向けて作用する押圧力は減殺されており、背板部が勢いよく開く事態を抑制することができる。
【発明の効果】
【００１６】
本発明に係る部材の取付構造によれば、被取付物から部材を取り外すために、被取付物からの押圧力が作用する背板部を開く際に、背板部が勢いよく開く事態を抑制することができる。
【図面の簡単な説明】
【００１７】
【図１】本発明の実施の形態に係る取付構造を有する棚板が取り付けられるテレビ台を正面側から示す説明図である。
【図２】テレビ台を背面側から示す説明図である。
【図３】（ａ）は棚板の背板部が開いた状態を上方から示す説明図、（ｂ）は棚板の背板部が開いた状態を下方から示す説明図である。
【図４】（ａ）は棚板の背板部が閉じた状態を上方から示す説明図、（ｂ）は棚板の背板部が閉じた状態を下方から示す説明図である。
【図５】棚板のピンを示す説明図である。
【図６】（ａ）は棚板の背板部が開いてテレビ台にセットされた状態を下方から示す説明図、（ｂ）は背板部が開じてピンで留められる状態を下方から示す説明図、（ｃ）は押し板がテレビ台を押圧して棚板のテレビ台への取付けが完了した状態を下方から示す説明図である。
【図７】（ａ）は棚板の係合片の挿通孔の中心部が受け部の挿通孔の中心部と重なり合った状態を示す説明図、（ｂ）は棚板の係合片の挿通孔が受け部の挿通孔よりも後方にずれた状態を示す説明図である。
【図８】棚板のピンの他の態様を示す説明図である。
【図９】（ａ）は棚板の係合片のネジ孔の中心部が受け部の挿通孔の中心部と重なり合った状態を示す説明図、（ｂ）は棚板の係合片のネジ孔が受け部の挿通孔よりも後方にずれた状態を示す説明図、（ｃ）はピンの軸部が長い場合に棚板の係合片のネジ孔が受け部の挿通孔よりも後方にずれた状態を示す説明図である。
【図１０】（ａ）は従来の棚板の背板部が開いた状態を示す説明図、（ｂ）は従来の棚板の背板部が閉じた状態を示す説明図である。
【発明を実施するための形態】
【００１８】
本発明の実施の形態について、図面に基づいて説明する。
【００１９】
図１及び図２に示すように、本実施の形態に係る取付構造を有する棚板１１が取り付けられるテレビ台３０は、床面Ｆに設置されるベース４０と、ベース４０に立設された支柱５０，５０と、支柱５０，５０を正面側から覆う飾り板６０と、支柱５０，５０の上部に設けられてテレビＴを支持する支持金具７０とを備える。
【００２０】
ベース４０は、平面視矩形状の水平部４１と、水平部４１から前方に拡がり、前方に向かって低くなるように傾斜する平面視台形状の傾斜部４２と、水平部４１から左方に拡がり、左方に向かって低くなるように傾斜する平面視台形状の傾斜部４３と、水平部４１から右方に拡がり、右方に向かって低くなるように傾斜する平面視台形状の傾斜部４４とを備え、全体として平面視矩形状を呈する。
【００２１】
支柱５０，５０は、ベース４０の水平部４１に立設される角筒状の下部支柱５１，５１と、下部支柱５１，５１の筒内に上方から嵌入され、下部支柱５１，５１に対して上下方向にスライドする角筒状の上部支柱５２，５２とを備える。支柱５０，５０は、上部支柱５２，５２の下部支柱５１，５１に対するスライドにより伸縮可能で、上部支柱５２，５２は下部支柱５１，５１に対して複数のネジ５３により位置決め固定される。
【００２２】
下部支柱５１，５１の間には、桟５４、桟５５及び桟５６が下から上に順に架設され、上部支柱５２，５２の間には、桟５７が架設されている。
【００２３】
飾り板６０は、下部飾り板６１と、上部飾り板６２とを備える。下部飾り板６１は、下部支柱５１，５１の正面、側面（外面）及び背面を覆い、桟５４及び桟５５に上方から係止されることによって、下部支柱５１，５１に取り付けられている。上部飾り板６２は、上部支柱５２，５２の正面、側面（外面）及び背面を覆うとともに、その下部を含む一部が下部飾り板６１を覆うように下部飾り板６１に重畳し、桟５７に上方から係止されることによって、上部支柱５２，５２に取り付けられている。
【００２４】
支持金具７０は、支柱５０，５０に取り付けられるフレーム７１と、フレーム７１に係止されてテレビＴが取り付けられる取付金具７２及び取付金具７３と、取付金具７２及び取付金具７３のフレーム７１からの脱落を防止するストッパー金具７４，７４とを備える。
【００２５】
フレーム７１は、支柱５０，５０に取り付けられて幅方向（左右方向）に延在し、取付金具７２及び取付金具７３が係止される被係止金具７５と、被係止金具７５の下方で幅方向に延在して取付金具７２及び取付金具７３が係止される被係止金具７６と、高さ方向（上下方向）に延在して被係止金具７５及び被係止金具７６を連結する連結金具７７，７７とを有する。
【００２６】
支持金具７０によるテレビＴの支持は、テレビＴの背面に取付金具７２及び取付金具７３をネジ止めして取り付け、この取付金具７２及び取付金具７３を支柱５０，５０に取り付けられた被係止金具７５及び被係止金具７６に係止させ、ストッパー金具７４，７４を被係止金具７５に取り付けることにより行われる。
【００２７】
棚板１１は、図３及び図４に示すように、サウンドバーＳ（図１、図２参照）を設置可能な長尺状の棚板本体部１２と、棚板本体部１２の後部に形成された凹部１３に設けられ、ネジ１４，１４の回転により前後に移動する押し板１５と、凹部１３の左壁１６の後縁に一端（左端）がヒンジ結合され、凹部１３に対して開閉する背板部１７とを備える。
【００２８】
棚板本体部１２には、後方に延在する凹部１３の右壁１８と一体で右壁１８の外側に受け部１９が設けられ、受け部１９には、直径９ｍｍの円形の挿通孔２０が形成されている。背板部１７の他端（右端）には、背板部１７が閉じられた状態で受け部１９に係合する係合片２１が前方に延在して設けられ、係合片２１には、背板部１７が閉じられた状態で挿通孔２０に重なり合う直径９ｍｍの円形の挿通孔２２が形成されている。
【００２９】
背板部１７が閉じられた状態で、挿通孔２０及び挿通孔２２には、図５に示すピン２３が挿通される。ピン２３は、挿通孔２０及び挿通孔２２より小径で直径７ｍｍの丸棒状の軸部２４と、挿通孔２０及び挿通孔２２より大径で直径１２ｍｍの頭部２５と、軸部２４に対して頭部２５と反対側に設けられ、軸部２４より大径で挿通孔２０及び挿通孔２２より小径の直径８ｍｍのフランジ部２６とを備える。
【００３０】
図６及び図７に示すように、棚板１１がテレビ台３０に取り付けられる場合には、まず背板部１７を開けてテレビ台３０（支柱５０，５０及び飾り板６０）が凹部１３に嵌まるように棚板１１をセットし（図６（ａ））、背板部１７を閉じて係合片２１を受け部１９に係合させ、挿通孔２０及び挿通孔２２（挿通孔２０の中心部及び挿通孔２２の中心部）を重ね合わせて、それらにピン２３をフランジ部２６の側から挿通させる（図６（ｂ）、図７（ａ））。続いて、ネジ１４，１４を回転させて押し板１５を後方に移動させ、押し板１５によりテレビ台３０を前方から押圧し、この押し板１５と、テレビ台３０に後方から当接する背板部１７とがテレビ台３０を前後から挟持することによって、棚板１１がテレビ台３０に取り付けられる（図６（ｃ））。このとき、係合片２１の挿通孔２２が受け部１９の挿通孔２０よりも後方にずれて（図７（ｂ））、ピン２３の軸部２４が挿通孔２２の内周面の前部２２ａにより挿通孔２０の内周面の後部２０ａに押し付けられ、ピン２３のフランジ部２６が受け部１９の挿通孔２０の周囲１９ａに引っ掛かり、ピン２３が抜け止めされる。
【００３１】
本実施の形態に係る棚板１１の取付構造では、背板部１７が閉じられた状態で受け部１９の挿通孔２０及び係合片２１の挿通孔２２に取り付けられるピン２３が、挿通孔２０及び挿通孔２２より小径の軸部２４と、挿通孔２０及び挿通孔２２より大径の頭部２５と、軸部２４より大径で挿通孔２０及び挿通孔２２より小径のフランジ部２６とを備えるので、背板部１７にテレビ台３０を介して押し板１５からの押圧力が作用している状態では、上記のとおり、係合片２１の挿通孔２２が受け部１９の挿通孔２０よりも後方にずれて、ピン２３の軸部２４が挿通孔２２の内周面の前部２２ａにより挿通孔２０の内周面の後部２０ａに押し付けられ、ピン２３のフランジ部２６が受け部１９の挿通孔２０の周囲１９ａに引っ掛かり、ピン２３が抜け止めされる。
【００３２】
そして、棚板１１の取外しの際には、背板部１７を押圧力に抗して前方に移動させて挿通孔２２の中心部を挿通孔２０の中心部に合わせ（図７（ａ）参照）、フランジ部２６の引っ掛かりを解除してピン２３を抜き、背板部１７を開くことになるが、このとき背板部１７の後方に向けて作用する押圧力は減殺されており、背板部１７が勢いよく開く事態を抑制することができる。
【００３３】
なお、図８及び図９に示すように、係合片２１には挿通孔２２の代わりにＭ１２のネジ孔２７が設けられ、ピン２３には頭部２５の代わりにネジ孔２７に螺合するネジ部２８が設けられていてもよく、この場合も、係合片２１が受け部１９に係合して挿通孔２０及び挿通孔２２（挿通孔２０の中心部及び挿通孔２２の中心部）が重なり合っていれば、ピン２３をフランジ部２６の側から挿通させることができ（図９（ａ））、押し板１５の押圧力により係合片２１の挿通孔２２が受け部１９の挿通孔２０よりも後方にずれていれば、ピン２３のフランジ部２６が受け部１９の挿通孔２０の周囲１９ａに引っ掛かり、ネジ部２８がそれ以上回らなくなって、ピン２３が抜け止めされる（図９（ｂ））。
【００３４】
あるいは、軸部２４の軸方向の寸法が、受け部１９の厚みと、係合片２１の厚みと、受け部１９と係合片２１との間隔との和よりも大きければ、ネジ部２８を緩めると、ピン２３のフランジ部２６が受け部１９の挿通孔２０の周囲１９ａに当たる前に、ネジ部２８はネジ孔２７から外れるが、フランジ部２６はその後に周囲１９ａに引っ掛かり、ピン２３が抜け止めされる（図９（ｃ））。
【００３５】
この取付構造では、背板部１７が閉じられた状態で受け部１９の挿通孔２０及び係合片２１のネジ孔２７に取り付けられるピン２３が、挿通孔２０及びネジ孔２７より小径の軸部２４と、ネジ孔２７に螺合するネジ部２８と、軸部２４より大径で挿通孔２０及びネジ孔２７より小径のフランジ部２６とを備えるので、背板部１７にテレビ台３０を介して押し板１５からの押圧力が作用している状態では、上記のとおり、係合片２１のネジ孔２７が受け部１９の挿通孔２０よりも後方にずれて、ピン２３の軸部２４がネジ孔２７により挿通孔２０の内周面の後部２０ａに押し付けられ、ピン２３のフランジ部２６が受け部１９の挿通孔２０の周囲１９ａに引っ掛かり、ピン２３が抜け止めされる。
【００３６】
そして、棚板１１の取外しの際には、背板部１７を押圧力に抗して前方に移動させてネジ孔２７の中心部を挿通孔２０の中心部に合わせ（図９（ａ）参照）、フランジ部２６の引っ掛かりを解除してネジ部２８とネジ孔２７との螺合を緩めピン２３を抜き、背板部１７を開くことになるが、このとき背板部１７の後方に向けて作用する押圧力は減殺されており、背板部１７が勢いよく開く事態を抑制することができる。
【００３７】
以上、本発明の実施の形態について例示したが、本発明の実施形態は上述したものに限られず、発明の趣旨を逸脱しない範囲で適宜変更等してもよい。
【００３８】
例えば、上記実施の形態では、棚板のテレビ台に対する取付構造について説明したが、部材は棚板に限られず、部材が取り付けられる被取付物もテレビ台に限られない。また、ピンの各部の寸法や挿通孔、ネジ孔の寸法も任意でかまわない。
【符号の説明】
【００３９】
１１  棚板（部材）
１２  棚板本体部（基部）
１５  押し板（押圧部）
１７  背板部
１９  受け部（被係合部）
２０  挿通孔（第一の挿通孔、挿通孔）
２１  係合片（係合部）
２２  挿通孔（第二の挿通孔）
２３  ピン
２４  軸部
２５  頭部
２６  フランジ部（拡径部）
２７  ネジ孔
２８  ネジ部
３０  テレビ台（被取付物）
【図１】
2020105185.tif 000003
【図２】
2020105185.tif 000004
【図３】
2020105185.tif 000005
【図４】
2020105185.tif 000006
【図５】
2020105185.tif 000007
【図６】
2020105185.tif 000008
【図７】
2020105185.tif 000009
【図８】
2020105185.tif 000010
【図９】
2020105185.tif 000011
【図１０】
2020105185.tif 000012
【国際調査報告】
2020105185.tif 000013
2020105185.tif 000014
2020105185.tif 000015
2020105185.tif 000016